(57)【要約】【課題】他の機器と自機との位置関係をより簡易に利用者に把握させること。【解決手段】１つの態様において、通信部と、気圧測定部と、前記通信部により他の機器から受信する第１の気圧情報と、前記気圧測定部により測定される第２の気圧情報とに基づいて、前記他の機器と自機との間の位置関係を判定する判定部と、前記判定部による前記位置関係の判定結果に応じて報知を実行する報知部とを有する。前記判定部は、前記第１の気圧情報と前記第２の気圧情報との比較関係に基づいて、建築物において前記他の機器が、自機と同じ階に位置するか、自機よりも上の階に位置するか、又は自機よりも下の階に位置するかを判定する。【選択図】図１
2015122580.tif 000002
【特許請求の範囲】
【請求項１】
通信部と、
気圧測定部と、
前記通信部により他の機器から受信する第１の気圧情報と、前記気圧測定部により測定される第２の気圧情報との比較結果に基づいて、前記他の機器と自機との間の位置関係を判定する判定部と、
前記判定部による前記位置関係の判定結果に応じて報知を実行する報知部と
を有する携帯電子機器。
【請求項２】
前記判定部は、前記第１の気圧情報と前記第２の気圧情報との比較関係に基づいて、建築物において前記他の機器が、自機と同じ階に位置するか、自機よりも上の階に位置するか、又は自機よりも下の階に位置するかを判定し、
前記報知部は、前記判定部により前記他の機器が自機よりも上の階又は下の階に位置すると判定されることを契機として、報知を実行する請求項１に記載の携帯電子機器。
【請求項３】
前記報知部は、前記判定部により、前記他の機器が自機よりも上の階又は下の階に位置すると判定された後、前記他の機器が自機と同じ階に位置すると判定されることを契機として、報知を実行する請求項２に記載の携帯電子機器。
【請求項４】
通信部と、気圧測定部とを有する携帯電子機器を制御する制御方法であって、
前記通信部により他の機器から第１の気圧情報を受信するステップと、
前記第１の気圧情報と、前記気圧測定器により判定される第２の気圧情報との比較結果に基づいて、前記他の機器と自機との間の位置関係を判定するステップと、
前記位置関係の判定結果に応じて報知を実行するステップと
を含む制御方法。
【請求項５】
通信部と、気圧測定部とを有する携帯電子機器に、
前記通信部により他の機器から第１の気圧情報を受信するステップと、
前記第１の気圧情報と、前記気圧測定器により判定される第２の気圧情報との比較結果に基づいて、前記他の機器と自機との間の位置関係を判定するステップと、
前記位置関係の判定結果に応じて報知を実行するステップと
を実行させる制御プログラム。
【発明の詳細な説明】
【技術分野】
【０００１】
本出願は、携帯電子機器、制御方法、及び制御プログラムに関する。
【背景技術】
【０００２】
従来、携帯電話及びスマートフォンなどの通信可能な携帯電子機器には、所定のアクションを契機として測位された位置の情報を、所定の宛先へ送信する機能を有するものがある（特許文献１参照）。
【先行技術文献】
【特許文献】
【０００３】
【特許文献１】特開２０１２−２１８５１号公報
【発明の概要】
【発明が解決しようとする課題】
【０００４】
ところで、従来の携帯電話機等の携帯電子機器は、上述したように、所定のアクションを契機として位置の情報を送信するのみであり、利用者にとって有益なサービスを実現させるための機能を追加する余地が残されている。
【０００５】
上記のことから、他の機器と自機との位置関係をより簡易に利用者に把握させることができる携帯電子機器、制御方法、及び制御プログラムの必要性がある。
【課題を解決するための手段】
【０００６】
１つの態様に係る携帯電子機器は、通信部と、気圧測定部と、前記通信部により他の機器から受信する第１の気圧情報と、前記気圧測定部により測定される第２の気圧情報との比較結果に基づいて、前記他の機器と自機との間の位置関係を判定する判定部と、前記判定部による前記位置関係の判定結果に応じて報知を実行する報知部とを有する。
【０００７】
１つの態様に係る制御方法は、通信部と、気圧測定部とを有する携帯電子機器を制御する制御方法であって、前記通信部により他の機器から第１の気圧情報を受信するステップと、前記第１の気圧情報と、前記気圧測定器により判定される第２の気圧情報との比較結果に基づいて、前記他の機器と自機との間の位置関係を判定するステップと、前記位置関係の判定結果に応じて報知を実行するステップとを含む。
【０００８】
１つの態様に係る制御プログラムは、通信部と、気圧測定部とを有する携帯電子機器に、前記通信部により他の機器から第１の気圧情報を受信するステップと、前記第１の気圧情報と、前記気圧測定器により判定される第２の気圧情報との比較結果に基づいて、前記他の機器と自機との間の位置関係を判定するステップと、前記位置関係の判定結果に応じて報知を実行するステップとを実行させる。
【図面の簡単な説明】
【０００９】
【図１】図１は、実施形態に係る携帯電話の機能的な構成の例を示すブロック図である。
【図２】図２は、同一の建築物における携帯電話の利用者と他の携帯電話の利用者の位置関係の例を示す図である。
【図３】図３は、同一の建築物における携帯電話の利用者と他の携帯電話の利用者の位置関係の例を示す図である。
【図４】図４は、実施形態１に係る携帯電話により実行される処理手順の例を示すフローチャートである。
【図５】図５は、実施形態２に係る携帯電話により実行される処理手順の例を示すフローチャートである。
【図６】図６は、携帯電話を携帯する利用者の移動形態の例を示す図である。
【図７】図７は、携帯電話を携帯する利用者の移動形態の例を示す図である。
【図８】図８は、携帯電話を携帯する利用者の移動形態の例を示す図である。
【発明を実施するための形態】
【００１０】
本出願に係る携帯電子機器、制御方法、及び制御プログラムを実施するための実施形態を、図面を参照しつつ詳細に説明する。以下では、携帯電子機器の一例として、携帯電話を取り上げて説明する。以下の実施例では、携帯電話１００の利用者と、携帯電話２００の利用者が、同一の建築物に訪問中である例を説明する。
【００１１】
（実施形態１）
図１を参照しながら、以下に説明する実施形態に係る携帯電話の機能的な構成について説明する。図１は、実施形態に係る携帯電話の機能的な構成の例を示すブロック図である。図１に示すように、携帯電話１００及び携帯電話２００は、通信ネットワーク１を介して、相互に通信可能な状態で接続される。携帯電話１００は自機の一例であり、携帯電話２００は他の機器の一例である。以下、携帯電話１００を適宜「自機」と記載する。以下の説明においては、同様の構成要素に同一の符号を付すことがある。さらに、重複する説明は省略することがある。
【００１２】
図１に示すように、携帯電話１００は、通信部１１１と、マイク１１２と、スピーカ１１３と、レシーバ１１４と、表示部１１５と、操作部１１６と、気圧測定部１１７と、記憶部１２０と、制御部１３０とを有する。
【００１３】
通信部１１１は、通信ネットワーク１を介した通信を行う。通信部１１１は、アンテナ１１１ａを有し、例えば、基地局によって割り当てられるチャネルを介し、基地局との間でＣＤＭＡ（Ｃｏｄｅ  Ｄｉｖｉｓｉｏｎ  Ｍｕｌｔｉｐｌｅ  Ａｃｃｅｓｓ）方式などによる無線信号回線を確立し、基地局を介して、携帯電話２００との間で電話通信及び情報通信を行う。実施形態において、通信部１１１は、携帯電話２００から送信された気圧情報を受信し、制御部１３０に送出する。
【００１４】
通信部１１１は、例えば、制御部１３０において実行される位置計測処理のために、ＧＰＳ衛星からの所定の周波数帯の電波信号を受信するように構成されてもよい。例えば、通信部１１１は、ＧＰＳ衛星から受信した電波信号の復調処理を行い、処理後の信号を制御部１３０に送出する。携帯電話１００は、通信部１１１とは別に、ＧＰＳ衛星からの所定の周波数帯の電波信号を受信するための受信機を設けてもよい。
【００１５】
マイク１１２は、例えば、音声通話時の音声を入力する。スピーカ１１３は、例えば、携帯電話１００の筐体内に配置されており、音声通話の着信音、メールの送信受信時の音などを出力する。レシーバ１１４は、例えば、音声通話時の音声を出力する。
【００１６】
表示部１１５は、制御部１３０から入力される信号に応じて、文字、図形、画像などの各種情報を表示する。実施形態において、表示部１１５は、携帯電話２００と携帯電話１００（自機）との位置関係に関する情報を利用者に報知するためのメッセージ、携帯電話１００の利用者が訪問中の建築物のフロアマップなどを表示する。表示部１１５は、例えば、液晶ディスプレイ（Ｌｉｑｕｉｄ  Ｃｒｙｓｔａｌ  Ｄｉｓｐｌａｙ）、有機ＥＬディスプレイ（Ｏｒｇａｎｉｃ  Ｅｌｅｃｔｒｏ−Ｌｕｍｉｎｅｓｃｅｎｃｅ  Ｄｉｓｐｌａｙ）等の表示パネルを有して構成される。
【００１７】
操作部１１６は、利用者の操作を受け付けて、受け付けた操作に応じた信号を制御部１３０に送出する。操作部１１６は、例えば、利用者の操作を受け付けるための１ないし複数のデバイスを有して構成される。デバイスには、例えば、キー、ボタン、タッチスクリーンなどが含まれる。
【００１８】
気圧測定部１１７は、携帯電話１００（自機）の現在位置における気圧を測定する。気圧測定部１１７は、測定した気圧の情報を制御部１３０に送出する。
【００１９】
記憶部１２０は、プログラム及びデータを記憶する。記憶部１２０は、制御部１３０の処理結果を一時的に記憶する作業領域としても利用される。記憶部１２０は、半導体記憶媒体、及び磁気記憶媒体等の任意の非一過的（ｎｏｎ−ｔｒａｎｓｉｔｏｒｙ）な記憶媒体を含んで構成されてもよい。記憶部１２０は、複数の種類の記憶媒体を含んで構成されてもよい。記憶部１２０は、メモリカード、光ディスク、又は光磁気ディスク等の可搬の記憶媒体と、記憶媒体の読み取り装置との組み合わせを含んで構成されてもよい。記憶部１２０は、ＲＡＭ（Ｒａｎｄｏｍ  Ａｃｃｅｓｓ  Ｍｅｍｏｒｙ）等の一時的な記憶領域として利用される記憶デバイスを含んで構成されてもよい。
【００２０】
記憶部１２０は、実施形態において、図１に示すように、例えば、制御プログラム１２１及びフロアマップデータ１２２などを記憶する。
【００２１】
制御プログラム１２１は、通信部１１１により携帯電話２００（他の機器）から受信する第１の気圧情報と、気圧測定部１１７により測定される第２の気圧情報との比較結果に基づいて、建築物における携帯電話２００（他の機器）と携帯電話１００（自機）との間の位置関係を判定するための機能を提供する。制御プログラム１２１は、位置関係の判定結果に応じて報知を実行するための機能を提供する。
【００２２】
フロアマップデータ１２２は、携帯電話１００の利用者が訪問中の建築物のフロアマップのデータに該当する。
【００２３】
制御部１３０は、演算処理装置である。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−ｃｈｉｐ）、ＭＣＵ（Ｍｉｃｒｏ  Ｃｏｎｔｒｏｌ  Ｕｎｉｔ）、ＦＰＧＡ（Ｆｉｅｌｄ−Ｐｒｏｇｒａｍｍａｂｌｅ  Ｇａｔｅ  Ａｒｒａｙ）及びコプロセッサなどを含んで構成されるが、これらに限定されない。制御部１３０は、携帯電話１００の動作を統括的に制御して各種の機能を実現する。
【００２４】
具体的には、制御部１３０は、記憶部１２０に記憶されているデータを必要に応じて参照しつつ、記憶部１２０に記憶されているプログラムに含まれる命令を実行する。そして、制御部１３０は、データ及び命令に応じて機能部を制御し、それによって各種機能を実現する。機能部には、例えば、通信部１１１、スピーカ１１３、レシーバ１１４、表示部１１５が含まれるが、これらに限定されない。制御部１３０は、検出部の検出結果に応じて、制御を変更することがある。検出部には、例えば、操作部１１６及び気圧測定部１１７が含まれるが、これらに限定されない。
【００２５】
制御部１３０は、制御プログラム１２１を実行することにより、制御プログラム１２１により提供される機能を、判定部１３１による処理及び報知部１３２による処理としてそれぞれ実現する。判定部１３１は、判定部の一例であり、報知部１３２は、報知部の一例である。
【００２６】
判定部１３１は、通信部１１１により携帯電話２００（他の機器）から受信する第１の気圧情報と、気圧測定部１１７により測定される第２の気圧情報との比較結果に基づいて、建築物における携帯電話２００（他の機器）と携帯電話１００（自機）との間の位置関係を判定する。以下、図２及び図３を参照しつつ、判定部１３１により実行される処理について説明する。図２及び図３は、同一の建築物における携帯電話の利用者と他の携帯電話の利用者との位置関係の例を示す図である。
【００２７】
判定部１３１は、携帯電話２００から受信する気圧情報と、気圧測定部１１７により測定された気圧情報とを比較し、携帯電話２００にて測定された気圧と自機で測定された気圧値との間に気圧差があるかを判定する。判定部１３１は、判定の結果、気圧差がある場合には、携帯電話２００から受信する気圧情報と、気圧測定部１１７により測定された気圧情報との比較結果に基づいて、携帯電話２００と自機との位置関係を判定する。例えば、携帯電話２００において測定された気圧が、気圧測定部１１７により測定された気圧よりも小さい場合には、判定部１３１は、図２に示すように、ある４階建ての建築物２において、携帯電話２００を携帯する利用者ｈ２が、自機を携帯する利用者ｈ１よりも上の階（例えば、４階）に位置するものと判定する。一方、携帯電話２００において測定された気圧が、気圧測定部１１７により測定された気圧よりも大きい場合には、判定部１３１は、図３に示すように、携帯電話２００を携帯する利用者ｈ２が自機を携帯する利用者ｈ１よりも下の階（例えば、３階）に位置するものと判定する。
【００２８】
判定部１３１は、携帯電話２００にて測定された気圧と自機で測定された気圧値との間に気圧差が存在するかを判定した結果、気圧差がない場合（あるいは、所定の範囲内である場合）、判定部１３１は、携帯電話２００が自機と同じ階に位置するものと判断し、位置関係の判定を行わない。
【００２９】
報知部１３２は、判定部１３１による位置関係の判定結果に応じて報知を実行する。具体的に説明すると、携帯電話２００が自機よりも上の階に位置するものと判定部１３１により判定された場合には、報知部１３２は、携帯電話２００が自機よりも上の階に位置する旨のメッセージを表示部１１５に表示する。一方、携帯電話２００が自機よりも下の階に位置するものと判定部１３１により判定された場合には、報知部１３２は、携帯電話２００が自機よりも下の階に位置する旨のメッセージを表示部１１５に表示する。
【００３０】
携帯電話２００は、図１に示すように、通信部２１１と、マイク２１２と、スピーカ２１３と、レシーバ２１４と、表示部２１５と、操作部２１６と、加速度測定部２１７と、気圧測定部２１８と、記憶部２２０と、制御部２３０とを有する。
【００３１】
通信部２１１は、通信ネットワーク１を介した通信を行う。通信部２１１は、アンテナ２１１ａを有し、例えば、基地局によって割り当てられるチャネルを介し、基地局との間でＣＤＭＡ（Ｃｏｄｅ  Ｄｉｖｉｓｉｏｎ  Ｍｕｌｔｉｐｌｅ  Ａｃｃｅｓｓ）方式などによる無線信号回線を確立し、基地局を介して、携帯電話１００との間で電話通信及び情報通信を行う。実施形態において、通信部２１１は、後述する気圧測定部２１８により測定された気圧に関する気圧情報を携帯電話１００に送信する。
【００３２】
通信部２１１は、例えば、制御部２３０において実行される位置計測処理のために、ＧＰＳ衛星からの所定の周波数帯の電波信号を受信するように構成されてもよい。例えば、通信部２１１は、ＧＰＳ衛星から受信した電波信号の復調処理を行い、処理後の信号を制御部２３０に送出する。携帯電話２００は、通信部２１１とは別に、ＧＰＳ衛星からの所定の周波数帯の電波信号を受信するための受信機を設けてもよい。
【００３３】
マイク２１２は、例えば、音声通話時の音声信号を入力する。スピーカ２１３は、例えば、携帯電話２００の筐体内に配置されており、音声通話の着信音、メールの送信受信時の音などを出力する。レシーバ２１４は、例えば、音声通話時の音声信号を出力する。
【００３４】
表示部２１５は、制御部２３０から入力される信号に応じて、文字、図形、画像などの各種情報を表示する。表示部２１５は、例えば、液晶ディスプレイ（Ｌｉｑｕｉｄ  Ｃｒｙｓｔａｌ  Ｄｉｓｐｌａｙ）、有機ＥＬディスプレイ（Ｏｒｇａｎｉｃ  Ｅｌｅｃｔｒｏ−Ｌｕｍｉｎｅｓｃｅｎｃｅ  Ｄｉｓｐｌａｙ）等の表示パネルを有して構成される。
【００３５】
操作部２１６は、利用者の操作を受け付けて、受け付けた操作に応じた信号を制御部２３０に送出する。操作部２１６は、例えば、利用者の操作を受け付けるための１ないし複数のデバイスを有して構成される。デバイスには、例えば、キー、ボタン、タッチスクリーンなどが含まれる。
【００３６】
加速度測定部２１７は、携帯電話２００に作用する加速度を測定する。加速度測定部２１７は、測定した加速度の情報を制御部２３０に送出する。
【００３７】
気圧測定部２１８は、携帯電話２００の現在位置における気圧を測定する。気圧測定部２１８は、測定した気圧の情報を制御部２３０に送出する。
【００３８】
記憶部２２０は、プログラム及びデータを記憶する。記憶部２２０は、制御部２３０の処理結果を一時的に記憶する作業領域としても利用される。記憶部２２０は、半導体記憶媒体、及び磁気記憶媒体等の任意の非一過的（ｎｏｎ−ｔｒａｎｓｉｔｏｒｙ）な記憶媒体を含んで構成されてもよい。記憶部２２０は、複数の種類の記憶媒体を含んで構成されてもよい。記憶部２２０は、メモリカード、光ディスク、又は光磁気ディスク等の可搬の記憶媒体と、記憶媒体の読み取り装置との組み合わせを含んで構成されてもよい。記憶部２２０は、ＲＡＭ（Ｒａｎｄｏｍ  Ａｃｃｅｓｓ  Ｍｅｍｏｒｙ）等の一時的な記憶領域として利用される記憶デバイスを含んで構成されてもよい。
【００３９】
記憶部２２０は、実施形態において、図１に示すように、例えば、制御プログラム２２１などを記憶する。
【００４０】
制御プログラム２２１は、気圧測定部２１８により測定された気圧情報に基づいて所定のイベントの発生を検出するための機能を提供する。制御プログラム２２１は、例えば、気圧測定部２１８により測定された気圧の変化をイベントとして検出するための機能を提供する。気圧の変化は、所定の閾値との比較により検出してもよいし、気圧測定部２１８により測定される気圧の時系列変化により検出してもよい。制御プログラム２２１は、所定のイベントの発生を検出した場合に、気圧測定部２１８により測定された気圧情報を携帯電話１００に送信するための機能を提供する。制御プログラム２２１は、例えば、所定のイベントの発生を検出した場合に、所定のイベントが発生した時点で気圧測定部２１８により測定された気圧に関する気圧情報を携帯電話１００に送信するための機能を提供する。
【００４１】
制御部２３０は、演算処理装置である。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−ｃｈｉｐ）、ＭＣＵ（Ｍｉｃｒｏ  Ｃｏｎｔｒｏｌ  Ｕｎｉｔ）、ＦＰＧＡ（Ｆｉｅｌｄ−Ｐｒｏｇｒａｍｍａｂｌｅ  Ｇａｔｅ  Ａｒｒａｙ）及びコプロセッサなどを含んで構成されるが、これらに限定されない。制御部２３０は、携帯電話２００の動作を統括的に制御して各種の機能を実現する。
【００４２】
具体的には、制御部２３０は、記憶部２２０に記憶されているデータを必要に応じて参照しつつ、記憶部２２０に記憶されているプログラムに含まれる命令を実行する。そして、制御部２３０は、データ及び命令に応じて機能部を制御し、それによって各種機能を実現する。機能部には、例えば、通信部２１１、スピーカ２１３、レシーバ２１４、表示部２１５が含まれるが、これらに限定されない。制御部２３０は、検出部の検出結果に応じて、制御を変更することがある。検出部には、例えば、操作部２１６、加速度測定部２１７及び気圧測定部２１８が含まれるが、これらに限定されない。
【００４３】
制御部２３０は、制御プログラム２２１を実行することにより、制御プログラム２２１により提供される機能を、通知判定部２３１による処理として実現する。
【００４４】
通知判定部２３１は、気圧測定部２１８により測定された気圧情報に基づいて所定のイベントの発生を検出する処理を実現する。通知判定部２３１は、例えば、気圧測定部２１８により測定された気圧の変化をイベントとして検出する。気圧の変化は、所定の閾値との比較により検出してもよいし、気圧測定部２１８により測定される気圧の時系列変化により検出してもよい。
【００４５】
通知判定部２３１は、所定のイベントの発生を検出した場合に、気圧測定部２１８により測定された気圧情報を携帯電話１００に送信する処理を実現する。通知判定部２３１は、所定のイベントが発生した時点で気圧測定部２１８により測定された気圧に関する気圧情報を携帯電話１００に送信する。
【００４６】
図１に示す携帯電話１００及び携帯電話２００の機能的な構成は、一例であり、本出願に係る携帯電子機器、制御方法、及び制御プログラムの要旨を損なわない範囲において適宜変更してよい。
【００４７】
図４を用いて、実施形態１に係る携帯電話１００により実行される処理手順の例を説明する。図４は、実施形態１に係る携帯電話１００により実行される処理手順の例を示すフローチャートである。図４に示す手順は、制御部１３０が、記憶部１２０に記憶されている制御プログラム１２１などを実行することによって実現される。
【００４８】
図４に示すように、制御部１３０は、携帯電話２００の気圧情報を受信すると（ステップＳ１０１）、気圧測定部１１７により測定される現在の気圧情報を取得する（ステップＳ１０２）。
【００４９】
続いて、制御部１３０は、Ｓ１０１で受信した気圧情報と、Ｓ１０２で取得した気圧情報との間に気圧差があるかを判定する（ステップＳ１０３）。
【００５０】
制御部１３０は、判定の結果、Ｓ１０１で受信した気圧情報と、Ｓ１０２で取得した気圧情報との間に気圧差がある場合には（ステップＳ１０３，Ｙｅｓ）、Ｓ１０１で受信した気圧情報とＳ１０２で取得した気圧情報との比較結果に基づいて、携帯電話２００と自機との位置関係を判定する（ステップＳ１０４）。
【００５１】
制御部１３０は、Ｓ１０４の判定結果に基づいて、携帯電話２００が自機よりも上の階に位置する旨、又は下の階に位置する旨を報知して（ステップＳ１０５）、図４に示す処理を終了する。
【００５２】
上記Ｓ１０３において、制御部１３０は、判定の結果、Ｓ１０１で受信した気圧情報と、Ｓ１０２で取得した気圧情報との間に気圧差がない場合（あるいは、所定の範囲内である場合）には（ステップＳ１０３，Ｎｏ）、図４に示す処理を終了する。
【００５３】
上記実施形態１では、携帯電話１００は、携帯電話２００から受信する気圧情報と、気圧測定部１１７により測定された気圧情報との比較結果に基づいて、携帯電話２００と自機との位置関係を判定し、位置関係の判定結果に応じて報知する。例えば、携帯電話１００は、携帯電話２００において測定された気圧が、自機において測定された気圧よりも小さい場合には、携帯電話２００を携帯する利用者ｈ２が、自機を携帯する利用者ｈ１よりも上の階に位置するものと判定し（図２参照）、その旨を報知する。一方、携帯電話１００は、携帯電話２００において測定された気圧が、自機において測定された気圧よりも大きい場合には、携帯電話２００を携帯する利用者ｈ２が自機を携帯する利用者ｈ１よりも下の階に位置するものと判定し（図３参照）、その旨を報知する。このようなことから、実施形態１によれば、携帯電話１００は、他の機器である携帯電話２００と自機との位置関係をより簡易に利用者に把握させることができる。
【００５４】
上記の実施形態１において、携帯電話１００は、気圧情報の送信要求を携帯電話２００に送信し、携帯電話２００から受信するようにしてもよい。携帯電話２００は、携帯電話１００からの気圧情報の送信要求に応じて、気圧情報を携帯電話１００に送信するようにしてもよい。携帯電話２００は、携帯電話２００を携帯する利用者ｈ２の操作に応じて、気圧情報を携帯電話１００に送信するようにしてもよい。
【００５５】
上記実施形態１において、携帯電話１００は、携帯電話２００において測定された気圧と自機において測定された気圧値との間の気圧差と、フロアマップデータ１２２とに基づいて、携帯電話２００が何階に位置するかを算出して報知してもよい。例えば、携帯電話１００は、利用者ｈ１に何階にいるかを入力させる。続いて、携帯電話１００は、携帯電話２００において測定された気圧と自機において測定された気圧値との気圧差を高低差に換算し、フロアマップデータ１２２と照らし合わせて、携帯電話２００が何階に位置するかを算出する。
【００５６】
（実施形態２）
上記実施形態１において、携帯電話１００は、他の機器である携帯電話２００が自機とは別の階に位置する旨を報知した後、携帯電話２００と自機との位置関係の変化に応じて、携帯電話２００が自機と同じ階に位置するようになった旨を報知するようにしてもよい。
【００５７】
携帯電話１００は、基本的には、実施形態１と機能的に同様の構成を有するが、以下に説明する点が異なる。
【００５８】
制御プログラム１２１は、携帯電話２００と自機との位置関係の変化に応じて、携帯電話２００が自機と同じ階に位置するようになった旨を報知するための機能を提供する。
【００５９】
判定部１３１は、報知部１３２による報知を行った後、気圧測定部１１７により測定される現在の気圧情報を再び取得する。判定部１３１は、気圧測定部１１７により測定される現在の気圧情報と、携帯電話２００から受信済みの気圧情報と比較し、携帯電話２００にて測定された気圧と自機で測定された気圧値との間に気圧差があるかを判定する。
【００６０】
判定部１３１は、判定の結果、気圧差がある場合には、気圧測定部１１７により測定される現在の気圧情報を再び取得し、携帯電話２００から受信済みの気圧情報と比較して、携帯電話２００にて測定された気圧と自機で測定された気圧値との間に気圧差があるかの判定を継続する。一方、判定部１３１は、判定の結果、気圧差がない場合（あるいは、所定の範囲内である場合）には、判定部１３１は、携帯電話２００が自機と同じ階に位置するものと判断し、携帯電話２００が自機と同じ階に位置する旨のメッセージを報知するように、報知部１３２に指示する。
【００６１】
報知部１３２は、判定部１３１からの指示に従って、携帯電話２００が自機と同じ階に位置する旨のメッセージを表示部１１５に表示する。
【００６２】
図５を用いて、実施形態２に係る携帯電話１００により実行される処理手順の例を説明する。図５は、実施形態２に係る携帯電話１００により実行される処理手順の例を示すフローチャートである。図５に示す手順は、制御部１３０が、記憶部１２０に記憶されている制御プログラム１２１などを実行することによって実現される。図５に示す処理手順は、ステップＳ２０６〜ステップＳ２０８までの処理が、図４に示す実施形態１における携帯電話１００の処理手順とは異なる。
【００６３】
図５に示すように、制御部１３０は、携帯電話２００の気圧情報を受信すると（ステップＳ２０１）、気圧測定部１１７により測定される現在の気圧情報を取得する（ステップＳ２０２）。
【００６４】
続いて、制御部１３０は、Ｓ２０１で受信した気圧情報と、Ｓ２０２で取得した気圧情報との間に気圧差があるかを判定する（ステップＳ２０３）。
【００６５】
判定部１３０は、判定の結果、Ｓ２０１で受信した気圧情報と、Ｓ２０２で取得した気圧情報との間に気圧差がある場合には（ステップＳ２０３，Ｙｅｓ）、Ｓ２０１で受信した気圧情報とＳ２０２で取得した気圧情報との比較結果に基づいて、携帯電話２００と自機との位置関係を判定する（ステップＳ２０４）。
【００６６】
制御部１３０は、Ｓ２０４の判定結果に基づいて、携帯電話２００が自機よりも上の階に位置するか、又は下の階に位置するかを報知する（ステップＳ２０５）。
【００６７】
続いて、制御部１３０は、気圧測定部１１７により測定される現在の気圧情報を取得し（ステップＳ２０６）、Ｓ２０１で受信した気圧情報と、Ｓ２０６で取得した気圧情報との間に気圧差があるかを判定する（ステップＳ２０７）。
【００６８】
制御部１３０は、判定の結果、Ｓ２０１で受信した気圧情報と、Ｓ２０６で取得した気圧情報との間に気圧差がある場合には（ステップＳ２０７，Ｙｅｓ）、Ｓ２０６に戻り、気圧測定部１１７により測定される現在の気圧情報を取得して、Ｓ２０７の判定を行う。
【００６９】
一方、制御部１３０は、判定の結果、Ｓ２０１で受信した気圧情報と、Ｓ２０６で取得した気圧情報との間に気圧差がない場合（あるいは、所定の範囲内である場合）には（ステップＳ２０７，Ｎｏ）、携帯電話２００が自機と同じ階に位置する旨を報知して（ステップＳ２０８）、図５に示す処理を終了する。
【００７０】
上記Ｓ２０３において、制御部１３０は、判定の結果、Ｓ２０１で受信した気圧情報と、Ｓ２０２で取得した気圧情報との間に気圧差がない場合には（ステップＳ２０３，Ｎｏ）、図５に示す処理を終了する。
【００７１】
上記実施形態２では、携帯電話１００は、他の機器である携帯電話２００が自機とは別の階に位置する旨を報知した後、携帯電話２００と自機との位置関係の変化に応じて、携帯電話２００が自機と同じ階に位置するようになった旨を報知する。このため、例えば、携帯電話１００の利用者が、携帯電話２００の利用者のいるはずの階に到着した時点で、その旨を利用者に報知することができ、他の機器である携帯電話２００と自機との位置関係をより簡易に利用者に把握させることができる。
【００７２】
（その他の実施形態）
携帯電話２００は、加速度測定部２１７により測定される加速度情報と、気圧測定部２１８により測定される気圧情報とに基づいて、携帯電話２００を携帯する利用者ｈ２の移動形態を判定してもよい。図６〜図８は、携帯電話２００を携帯する利用者の移動形態の例を示す図である。
【００７３】
制御部２３０は、加速度情報及び気圧情報に基づいて、携帯電話２００を携帯する利用者ｈ２の移動形態が、エスカレータ４による移動、エレベータ５による移動、及び階段６による移動のいずれに該当するかを判定する。記憶部２２０は、エスカレータ４、エレベータ５及び階段６により移動中であるときの加速度情報を、参照情報として予め記憶する。制御部２３０は、気圧測定部２１８により測定される気圧情報に時系列変化がある場合には、記憶部２２０に参照情報として記憶されている加速度情報と、加速度測定部２１７により測定される加速度情報とを照合し、エスカレータ４による移動、エレベータ５による移動、及び階段による移動のいずれに該当するかを判定する。制御部２３０は、エスカレータ４による移動、エレベータ５による移動、又は階段による移動である旨の情報とともに、気圧情報を携帯電話１００に送信する。
【００７４】
これに対して、携帯電話１００は、携帯電話２００から受信した気圧情報及び移動形態の情報に基づいて報知を行う。例えば、携帯電話１００は、携帯電話２００の利用者がエスカレータ４で上の階に移動した旨を報知する。
【００７５】
上記の実施形態において、例えば、図１に示した制御プログラム１２１は、制御部１３０の判定部１３１及び報知部１３２のそれぞれに対応する複数のプログラムモジュールに分割されていてもよい。あるいは、図１に示した制御プログラム１２１は、その他のプログラムと結合されていてもよい。
【００７６】
上記の実施形態において、携帯電話１００の利用者ｈ１と、携帯電話２００の利用者ｈ２とが同一の建築物にいるか否かを、携帯電話機２００がＧＰＳ衛星から受信した電波信号を処理した信号と、携帯電話機１００がＧＰＳ衛星から受信した電波信号とを比較したり、携帯電話機２００がＧＰＳ衛星から受信した電波信号を処理した信号と、携帯電話機１００がＧＰＳ衛星から受信した電波信号を処理した信号とを比較したりして判定してもよい。
【００７７】
上記の実施形態では、添付の請求項に係る携帯電子機器の例として、携帯電話について説明したが、添付の請求項に係る電子機器は、携帯電話に限定されない。添付の請求項に係る携帯電子機器は、通信が可能であり、気圧が測定可能な機器であれば、携帯電話以外の電子機器であってもよい。
【００７８】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成により具現化されるべきである。
【符号の説明】
【００７９】
１００  携帯電話
１１１  通信部
１１２  マイク
１１３  スピーカ
１１４  レシーバ
１１５  表示部
１１６  操作部
１１７  気圧測定部
１２０  記憶部
１３０  制御部
【図１】
2015122580.tif 000003
【図２】
2015122580.tif 000004
【図３】
2015122580.tif 000005
【図４】
2015122580.tif 000006
【図５】
2015122580.tif 000007
【図６】
2015122580.tif 000008
【図７】
2015122580.tif 000009
【図８】
2015122580.tif 000010